(57)【要約】【課題】  吸着具本体の外被布に施された表示部が常に起立状態で浮かび、水面に浮遊する皮脂、垢、毛髪などを吸着すると共に、浴槽に浮かして遊ぶ楽しみのおもちゃとして使用できる。【解決手段】  浴槽に浮かべて浮遊物を吸着する吸着具であって、親油性繊維材３ａ，３ｂで所望形状の中芯材３を形成する。その中芯材３を適宜の表示部１１が施された親油性繊維材の外被布２で包被して吸着具本体１を形成する。該吸着具本体１を浴槽に浮かべた時に、表示部１１が水面に対して起立して浮く。【選択図】      図７
2006296825.tif 000002
【特許請求の範囲】
【請求項１】
浴槽に浮かべて浮遊物を吸着する吸着具であって、親油性繊維材で所望形状の中芯材を形成し、その中芯材を適宜の表示部を施した親油性繊維材の外被布で包被して吸着具本体を形成し、該吸着具本体を浴槽に浮かべた時に、表示部が水面に対して起立して浮くように構成したことを特徴とする浴槽浮遊物吸着具。
【請求項２】
上記中芯材は、比重１以下の親油性繊維材と比重１以上の親油性繊維材と浮力材とで形成されている請求項１に記載の浴槽浮遊物吸着具。
【請求項３】
上記中芯材は、比重１以下の親油性繊維材と比重１以上の親油性繊維材と浮力材と銀片とで形成されている請求項１に記載の浴槽浮遊物吸着具。
【請求項４】
上記浮力材は、炭粉末を含有するプラスチックパイプである請求項２または３に記載の浴槽浮遊物吸着具。
【請求項５】
上記中芯材が球状であって、その中芯材を被覆する外被布の表面には、顔を表現した表示部を設けてある請求項１〜４のいずれか一つに記載の浴槽浮遊物吸着具。
【請求項６】
上記外被布の一部に汚染度を判別できる汚染確認部を設けてある請求項１〜５のいずれか一つに記載の浴槽浮遊物吸着具。
【発明の詳細な説明】
【技術分野】
【０００１】
本発明は、浴槽の水面に浮遊する皮脂、湯垢、毛髪などを吸着する浴槽浮遊物吸着具に関し、さらに詳しくは、浴槽内に浮かして遊ぶ楽しみと、吸着具本体の外被布に表示部を施し、その表示部が常に水面に対して起立した状態で浮く浴槽浮遊物吸着具に関するものである。
【背景技術】
【０００２】
一般家庭での入浴は、浴槽内に充填した水を適温に沸かすとか、あるいは給湯器から湯を浴槽内に充填した後、家族が入浴することになるが、複数の人が入浴すると、湯が少なくなったり、冷めたりするので水を足して追い炊きするとか、給湯器から湯を補充したりすることはあっても、経済性の面から湯の全量を入れ換えるようなことはしない。
【０００３】
そのため、先に入浴した人の皮脂、垢、毛髪などが水面や水中で浮遊したり、浴槽の壁面に付着することから、後から入浴する人にとっては不快感が生じ、浴槽の外から洗面器などを使って湯を掬い取っていたが、浮遊物は微細でうまく掬い上げることが困難であるばかりか、たとえ掬い取ったとしても湯を捨てることになり湯の無駄使いになった。
【０００４】
そのような欠点を解消するものとして、浴槽内に吸着具を浮かべて湯垢、毛髪などの浮遊物を吸着する吸着具は既に提案されている。その一つとして、例えば、弾力性のあるボールの全面に、長さが異なる何種類かのブラシを混合して設け、ボールの表面に、水面と水中への浮き沈みを調整するための空気穴を複数個設けた浴槽の浮遊物を取り除くボールが提案されている（例えば、特許文献１）。
【０００５】
また、別のものとして、親油性繊維を素材として略長円形または略方形のシート状に形成され、浴槽に浮かべて用いられる浴槽用湯垢吸着シートが提案されている。（例えば、特許文献２）。
【特許文献１】特開２００１−２５８７７４号公報
【特許文献２】特開２００２−３５５１８５号公報
【発明の開示】
【発明が解決しようとする課題】
【０００６】
しかしながら、上記特許文献１の浴槽の浮遊物を取り除くボールは、水面を浮遊しているうちに毛髪はブラシに引っ掛かって取れても、皮脂、湯垢などの油脂成分や臭気成分は吸収除去できず、水面に皮脂が浮き異臭もあって後から入浴する人は快適に入浴することができないと言った問題点があった。
【０００７】
また、上記特許文献２の浴槽用湯垢吸着シートは、皮脂、湯垢などは取れても、浴槽の略全面を覆う大きさの吸着シートであり、入浴後、次の人が入るまでの間、水面に被せておくものであるから、入浴中には使用できないと言った不便さがあった。また、吸着シートは比較的大きいからスペースの少ない浴室内での置場所に困った。
【０００８】
さらに、上記特許文献１，２とも単に浮遊物を吸着するだけの使用価値に過ぎず、例えば、浴槽の中に一緒に入って浮かべて遊ぶことができる入浴おもちゃになるなどの付加価値はなく、また、従来の浴槽に浮かべて遊ぶ玩具は、プラスチック製や木製の動物や乗物などのありきたりのものであって面白味がなかった。
【０００９】
本発明は、上記のような問題点を解決することを課題として研究開発されたもので、吸着具本体の外被布に施された表示部が常に起立状態で浮かび、水面に浮遊する皮脂、垢、毛髪などを吸着すると共に、浴槽に浮かして遊ぶ楽しみのおもちゃとして使用できる浴槽浮遊物吸着具を提供することを目的とするものである。
【課題を解決するための手段】
【００１０】
上記の課題を解決し、その目的を達成する手段として、本発明では、浴槽に浮かべて浮遊物を吸着する吸着具であって、親油性繊維材で所望形状の中芯材を形成し、その中芯材を適宜の表示部を施した親油性繊維材の外被布で包被して吸着具本体を形成し、該吸着具本体を浴槽に浮かべた時に、表示部が水面に対して起立して浮くように構成したことを特徴とする浴槽浮遊物吸着具を開発し、採用した。
【００１１】
また、本発明では、上記のように構成した浴槽浮遊物吸着具において、上記中芯材は、比重１以下の親油性繊維材と比重１以上の親油性繊維材と浮力材とで形成した浴槽浮遊物吸着具、および上記中芯材は、比重１以下の親油性繊維材と比重１以上の親油性繊維材と浮力材と銀片とで形成した浴槽浮遊物吸着具、および上記浮力材は炭粉末を含有するプラスチックパイプである浴槽浮遊物吸着具、および上記中芯材が球状であって、その中芯材を被覆する外被布の表面には、顔を表現した表示部を設けてある浴槽浮遊物吸着具、および上記外被布の一部に汚染度を判別できる汚染確認部を設けてある浴槽浮遊物吸着具吸着具を開発し、採用した。
【発明の効果】
【００１２】
吸着具本体の全体が親油性の繊維で形成されており、浴槽に浮かべておくだけで皮脂、湯垢、毛髪などの浮遊物を吸着でき、特に体内から分泌される汗や皮脂などの油脂成分や臭気成分を効率的に吸着して浄化するため、後から入浴する人がきれいな湯に入ることができる。また、浮遊する皮脂、湯垢などを積極的に吸着するので、浴槽の内壁面に付着して汚すのが少なくなり清掃が簡単にできると共に、洗濯水としても充分に使うことができる。
【００１３】
また、比重１以下の親油性繊維材と比重１以上の親油性繊維材と浮力材を所定の割合で混合して中芯材を形成してあるから、吸着具本体は、表示部が水面に対して起立した状態で浮くことができると共に、浮力材に含有する炭粉末によって汚れ物質を除菌することができる。さらに、上記の中芯材に銀片を加えることにより、一層の除菌作用を発揮することができる。
【００１４】
また、吸着具本体は、従来にない繊維製の浮きおもちゃにもなり、浴槽の中に一緒に入って遊ぶことができ子供が風呂場で楽しく遊べる入浴おもちゃとしても使用できる。
【００１５】
さらに、外被布の一部に汚れ具合を判別できる汚染確認部を設けてあるから、その汚染確認部の汚染度を確認することにより、洗濯の目途が分かり、仮に汚れが進んでいれば、洗濯をすることにより何回も使用することができる。
【発明を実施するための最良の形態】
【００１６】
以下に、本発明の実施の形態を添付図面に基づいて説明すると、図１〜図９は本発明の浴槽浮遊物の吸着具本体１を示しており、その吸着具本体１は、親油性の繊維糸で編まれた外被布２と、その外被布２で被覆される中芯材３を構成する比重１以下の親油性繊維材３ａと、比重１以上の親油性繊維材３ｂと、浮力材３ｃおよび吊紐４とで構成されている。
【００１７】
上記の外被布２は、油脂成分に対して親和性あるいは吸着性を持つ親油性繊維材が用いられる。親油性繊維材としては、比重０．９１のポリプロピレン、比重０．９４のポリエチレン、比重１．３８のポリエステル、比重１．３９のポリ塩化ビニルなどの合成繊維糸が好適であり、図３に示すように、縦長の円筒状に編成してある。
【００１８】
その外被布２の上方部の表面部にはスマイル顔の表示部１１を形成してある。すなわち、外被布２と異なる色の糸により踵編みで口部１２を編成すると共に、外被布２および口部１２と異なる色の糸で目部１３，1３を編んで形成してある。また、スマイル顔の表示部１１の背面部には、白糸で編まれた円形の汚染確認部１４を設けてある。この汚染確認部１４は、繰り返し使用しているうちに吸着が進み汚れが目立ち洗濯をする際の目安になる。
【００１９】
中芯材３は、比重１以下のポリプロピレンやポリエチレン、比重１以上のポリエステルやポリ塩化ビニルなどの親油性の合成繊維材３ａ，３ｂと、比重１以下で、長さ４〜８mmのプラスチックパイプ浮力材３ｃを混合して形成されている。ポリプロピレンやポリエチレン３ａ、ポリエステルやポリ塩化ビニル３ｂは編布、織布、不織布あるいはそれらの裁断屑布などを用いることができ、特に裁断屑布を使用すると、生地のロスが無くなると共にゴミの発生も少なくなる。より好ましいのは、被覆が容易で吸着性の良い、比重０．９１で水中に浮遊する浮力材機能を併せて持つポリプロピレンの不織布３ａと、比重１．３９のポリ塩化ビニルの不織布３ｂと、炭粉末を含有するポリエチレンパイプ浮力材３ｃを混合して形成したものである。
【００２０】
また、図８に示すように、上記のポリプロピレンの不織布３ａと、ポリ塩化ビニルの不織布３ｂと、炭粉末を含有するポリエチレンパイプ浮力材３ｃとからなる中芯材３に、銀片３ｄを加えて中芯材３とすることもあり、その場合は、銀片３ｄによって汚れ物質を一層除菌する作用がある。
【００２１】
このポリプロピレンの不織布３ａ、ポリ塩化ビニルの不織布３ｂは油脂成分の吸着能力が自重の１５〜２５倍有していることから、主として皮脂、汗など油性の汚れを積極的に吸着するが、他の浮遊物も吸着する。
【００２２】
上記のように構成された中芯材３は、図５に示すように、下部筒体２ｂの底部に入れた後、その上端部を結束バンド５で結束し、図６に示すように、上部筒体２ａを反転させて下部筒体２ｂに重ねて２重層に包皮して下端開口部６に吊紐４の端部４ａを差し込み、下端開口部６を引き寄せて結束バンド７で結束して吸着具本体１が得られ、図７に示すように上下反転して使用する。
【００２３】
吸着具本体１の形状は、スマイル顔の表示部１１としたが、例えば魚、動物、植物、自然物、器物、乗物などの形態にしたり、特に子供に好まれる人気キャラクターの形態にすれば、おもちゃとしての機能をより高めることができる。
【００２４】
このように構成した本発明の使用例を説明すると、図９に示すように、浴槽内に入れると、吸着具本体１は水面を浮遊することになり、水面に浮遊する皮脂、湯垢、毛髪を外被布２で吸着する。特に外被布２は親油性繊維材で構成されているから、油脂成分の皮脂を積極的に吸着すると共に、臭気成分も除去することから清潔な湯になる。この吸着具本体１は、浴槽の中に入れても、邪魔になることなく使用できる。
【００２５】
外被布２に吸着された皮脂など汚れの一部は、外被布２の内部に侵入して中芯材３の親油性の繊維材に吸着される。さらに汚れの一部は内部に侵入していき次第に汚れや臭気が吸着される。また、中芯材３は繊維材３ａ，３ｂと、浮力材３ｃだけでなく、銀片３ｄを入れることもあり、その場合には汚れ物質の除菌が一層図れて衛生的になる。
【００２６】
吸着具本体１は中芯材３を構成する各部材を所定の割合で混合して重量バランスが取れているので、常にスマイル顔の表示部１１が水面に対して起立した状態になり、繊維製でありながら水面に浮かぶ面白味があっておもちゃとしての機能を有すると共に、浴槽の中に一緒に入ることにより癒された気分になる。
【００２７】
さらに、入浴中は勿論、入浴後においても、水面に浮かせておけば、汚れを吸収して残り湯がきれいになり洗濯水として利用できる。そして、湯を抜く際に取り出して、吊紐４を掛け具などに引っ掛けて乾かして次回使用できるようにしてある。
【００２８】
また、長期の使用により、外被布２の汚染確認部１４が汚れてくれば、洗濯することにより繰り返し使用できる。仮に中芯材３の吸着が飽和状態で吸着力が落ちれば、外被布２、繊維材４を交換できる。
【００２９】
つぎに、本発明の具体的実施例を述べる。
（実施例１）
黄緑色のポリプロピレン糸でメリヤス編みして長さ２７ｃｍの円筒状外被布２を編成し一端開口部を縫着閉止した。この外被布２の重さは１７ｇである。この外被布２の上部表面の中央部に黄色のポリプロピレン糸で踵編みして口部１２を編成し、その口部１２の上部左右に黒色の糸で目部１３，１３を編成してスマイル顔の表示部１１を形成した。また、スマイル顔表示部１１の裏面部に白色の糸で円形に編まれた汚染確認部１４を設けた。
【００３０】
一方、ポリプロピレン不織布３ａを４０ｇ、浮力材として長さ６ｍｍの炭粉末を含有するポリエチレンパイプ３ｃを2ｇ混合して中部から上層部に配置すると共に、ポリ塩化ビニル不織布３ｂを３０ｇ下層部に配して直径８ｃｍの球状の中芯材３を形成した。この結果、外被布２とポリプロピレン不織布３ａと浮力材３ｃを合わして６６重量％、ポリ塩化ビニル不織布３ｂが３４重量％の比率で仕上がった。
【００３１】
この中芯材３を、図５に示すように、外被布２の下部筒体２ｂに入れ、その上端部を結束バンド５で結束した後、図６に示すように、上部筒体２ａの外面を反転させて下部筒体２ｂの外周面を被覆して２重に被覆し、下端開口部６に吊紐４の下端部４ａを差し込み、開口部６を引き寄せて結束バンド７によって結束して浴槽浮遊物吸着具本体１を得た。
（実施例２）
【００３２】
上記実施例１の中芯材のポリ塩化ビニル不織布３ｂをポリエステル不織布とした以外は全て実施例１と同様とした。
（比較例１）
【００３３】
上記実施例１の中芯材のポリ塩化ビニル不織布３ｂの３０ｇを、２０ｇにした以外は全て上記実施例１と同様とした。この結果、外被布２とポリプロピレン不織布３ａと浮力材３ｃを合わして７５重量％、ポリ塩化ビニル不織布３ｂが２５重量％の比率からなる浴槽浮遊物吸着具本体１を得た。
（比較例２）
【００３４】
上記実施例１の中芯材のポリプロピレン不織布３ｂの４０ｇを、３０ｇにした以外は全て上記実施例１と同様とした。この結果、外被布２とポリプロピレン不織布３ａと浮力材３ｃを合わして６２重量％、ポリ塩化ビニル不織布３ｂが３８重量％の比率からなる浴槽浮遊物吸着具本体１を得た。
【００３５】
上記の実施例１、２と比較例１、２で得られた吸着具本体１の浮き状態と油分吸収実験を行った。試験条件として、口径２５ｃｍ，深さ１５ｃｍの円形プラスチック容器を４個用意した。４個の容器に４１度の湯を２リットル入れ、そこに皮脂の代用品として、食用油（日清製油（株）社製）を６０ｃｃ投入し、水面の一面に食用油が広がった状態として、1番目の容器に実施例１の吸着具本体１を入れ、２番目の容器に実施例２の吸着具本体１を入れ、３番目の容器に比較例１の吸着具本体１を入れ、４番目の容器に比較例２の吸着具本体１を入れた。
【００３６】
その結果、実施例１と実施例２の吸着具本体１は、スマイル顔の表示部１１が水面に対して常に起立した状態で、水面をプカプカ浮いて食用油を吸着した。水面に浮いた食用油の吸収除去率を目視で測定した処、凡そ５分経過で約２０％，１０分経過で約４０％，１５分後で約６０％，２０分経過で８０％、３０分経過で水面に浮いた油がほとんどなくなっているのが確認できた。
【００３７】
一方、比較例１の吸着具本体１は、スマイル顔の表示部１１が水面に伏せた状態で浮かんでおり表示部１１を見ることができなかった。また、比較例２の吸着具本体１は、水中に沈んだ状態となり、マイル顔の表示部１１は水中で起立している状態であった。また、食用油の吸収除去率においては、実施例１、２と比較例１、２とにおいて大差はなかったが、水面に浮いた油がほとんどなくなるまでの時間は比較例１、２の方が少し時間を要した。
【００３８】
上記から明らかなように、実施例１、２ともに正常な状態で浮くと共に、食用油であったが充分吸着することが認められた。このことから、入浴すれば身体の皮膚から少しずつ出ている皮脂についても油成分であることから、同様の吸着効果が期待できることが明らかである。
【００３９】
以上、本発明の主要な実施の形態について説明したが、本発明は上記実施の形態に限定されるものではなく、本発明の目的を達成でき、かつ本発明の要旨を逸脱しない範囲で種々の設計変更が可能であるのは勿論のことである。
【産業上の利用可能性】
【００４０】
本発明は、浴槽の水面に浮遊する皮脂、湯垢、毛髪などを吸着する浴槽浮遊物吸着具にかぎらず、洗濯機の洗濯槽内に入れて、衣類等に付着した汚れを洗濯物に付着させることなく、吸着して汚染を防ぐための洗濯用汚れ吸着具としても利用できるものである。
【図面の簡単な説明】
【００４１】
【図１】本発明の吸着具の正面図である。
【図２】本発明の吸着具の背面図である
【図３】外被布の斜視図である。
【図４】中芯材の繊維材と浮力材の斜視図である。
【図５】外被布の底部に中芯材を入れた断面図である。
【図６】外被の上部筒体を反転して下部筒体に重合被覆した断面図である。
【図７】吸着具本体の縦断面図である。
【図８】別の実施の形態を示す吸着具本体の縦断面図である。
【図９】使用状態を示す簡略断面図である。
【符号の説明】
【００４２】
１    吸着具本体
２    外被布
３    中芯材
３ａ  繊維材
３ｂ  繊維材
３ｃ  浮力材
１１  表示部
１２  口部
１３  目部
１４  汚染確認部
【図１】
2006296825.tif 000003
【図２】
2006296825.tif 000004
【図３】
2006296825.tif 000005
【図４】
2006296825.tif 000006
【図５】
2006296825.tif 000007
【図６】
2006296825.tif 000008
【図７】
2006296825.tif 000009
【図８】
2006296825.tif 000010
【図９】
2006296825.tif 000011